(57)【要約】【課題】ディスクを収容する部分にプラスチックを使用し、他の部分には紙を使用することにより、コストダウンを図ると共に、印刷が可能となる範囲が拡大され、かつ、組み立て加工により簡便に作成でき、複数枚のディスクを簡単に収納すことが可能な形態のブック型ディスク収納ケースを提供することにある。【解決手段】本発明は、背部を挟んで一対の表紙部を有する表紙体と、ディスク収納体とを備えるブック型ディスク収納ケースであって、ディスク収納体が複数の頁部と折り曲げ部を連ねた台紙部の頁部の表面にディスクを着脱可能に収容するディスク受け部を貼り付けて蛇腹状に折り畳んで形成され、台紙部の両端の頁部の裏面と表紙部の裏面とを貼り合わせて前記ディスク収納体を表紙体に取着して一体としたことを特徴とするブック型ディスク収納ケースであり、台紙部が紙からなり、ディスク受け部がプラスチックからなることを特徴としている。【選択図】図１
2005008263.tif 000002
【特許請求の範囲】
【請求項１】
背部を挟んで一対の表紙部を有する表紙体と、ディスク収納体とを備えるブック型ディスク収納ケースであって、前記ディスク収納体が複数の頁部と折り曲げ部を連ねた台紙部の前記頁部の表面にディスクを着脱可能に収容するディスク受け部を貼り付けて蛇腹状に折り畳んで形成され、前記台紙部の両端の前記頁部の裏面と前記表紙部の裏面とを貼り合わせて前記ディスク収納体を前記表紙体に取着して一体としたことを特徴とするブック型ディスク収納ケース。
【請求項２】
前記台紙部が紙からなり、前記ディスク受け部がプラスチックからなることを特徴とする請求項１に記載のブック型ディスク収納ケース。
【発明の詳細な説明】
【０００１】
【発明の属する技術分野】
本発明は、コンパクトディスク（ＣＤ）、ＣＤ−ＲＯＭ、光ディスク等の情報を記録するディスク状記録媒体（以下ディスクと略称する）を複数枚収容するためのブック型ディスク収納ケースに関するものである。
【０００２】
【従来の技術】
従来、一枚のディスクを収納するケースとしては、プラスチックの成型によって作られた薄板状の収納部材と、その一端に回動可能に取り付けられた蓋とを備えており、かつ、その収納部材には、ディスクを収容する円形の凹部と、その中央に形成されディスク中央孔に嵌合させるための保持部等を設けたプラスチック製の収納ケースが一般的である。また、複数枚のディスクを収容するための収納ケースとしては、プラスチック製の収納ケースを組み合わせて一体とした形態等が提案されている（例えば、特許文献１に参照。）。さらに、プラスチックを使用しない複数枚のディスクを収容する紙製の収納ケースとしては、複数枚のディスクを差し込む形態（例えば、特許文献２に参照。）、あるいは、収納部を袋状体として複数枚を綴じてまとめた形態（例えば、特許文献３に参照。）等も提案されている。
【０００３】
【特許文献１】
特開平１１−３４９０７９号公報
【特許文献２】
特開２００１−１２２３７４号公報
【特許文献３】
特開平１１−３２１９５８号公報
【０００４】
【発明が解決しようとする課題】
しかしながら、従来の複数枚のディスクを収容するプラスチック製のディスク収納ケースは、全体がプラスチックの成型品であるため、大量生産向きであり、少量生産の場合には、著しくコストが高くなるという問題がある。また、印刷を施すことが困難であるので、宣伝、説明等のためには印刷した紙を中に入れることが必要であり、この点からもコスト高となっていた。
また、プラスチックを使用せずに全体に紙を使用した複数枚のディスクを収容する収納ケースは、廃棄する時の環境対応の点では良好であるが、ディスクを保護するという点では不充分であり、重要な情報を記録したディスク用としては、不向きであるという問題がある。
【０００５】
本発明は、このような背景に鑑みてなされたものであり、その目的とするところは、ディスクを収容する部分にプラスチックを使用し、他の部分には紙を使用することにより、コストダウンを図ると共に、印刷が可能となる範囲が拡大され、かつ、組み立て加工により簡便に作成でき、複数枚のディスクを簡単に収納すことが可能な形態のブック型ディスク収納ケースを提供することである。
【０００６】
【課題を解決するための手段】
上記課題を解決すべくなされた本発明は、背部を挟んで一対の表紙部を有する表紙体と、ディスク収納体とを備えるブック型ディスク収納ケースであって、前記ディスク収納体が複数の頁部と折り曲げ部を連ねた台紙部の前記頁部の表面にディスクを着脱可能に収容するディスク受け部を貼り付けて蛇腹状に折り畳んで形成され、前記台紙部の両端の前記頁部の裏面と前記表紙部の裏面とを貼り合わせて前記ディスク収納体を前記表紙体に取着して一体としたことを特徴とするブック型ディスク収納ケースであり、前記台紙部が紙からなり、前記ディスク受け部がプラスチックからなることを特徴とするものである。
【０００７】
本発明によれば、上記構成のブック型ディスク収納ケースは、表紙体にディスク収納体が取着されて一体となった複数枚のディスクを収容するディスク収納ケースであり、ディスク収納体を台紙部の頁部にディスク受け部を貼り付けて蛇腹状に折り畳んだ形状とし、ディスクを収容するディスク受け部にプラスチックを使用し、他の部分には紙を使用することにより、全体がプラスチックの成型品であるディスク収納ケースと比べてコストダウンを図ることができると共に、印刷が可能な範囲を拡大することができ、かつ、組み立て加工により簡便に作成でき、複数枚のディスクを簡単に収納すことが可能なブック型ディスク収納ケースを得ることができるものである。
【０００８】
【発明の実施の形態】
以下、図面において本発明の実施の形態を説明するが、幾つかの図面に渡って同一あるいは同様な部分には同一の符号を付けて示している。
【０００９】
図１は、本発明のブック型ディスク収納ケースの第一の実施の形態の一実施例の半分開いた状態を示す斜視図である。ブック型ディスク収納ケースＡは、４枚のディスクＤを収容する形態であり、台紙部２２の頁部にディスク受け部２３を貼付して蛇腹状に折り畳んだディスク収納体２１とそのディスク収納体２１の一方側を巻き込んだ表紙体１１とから構成されている。
【００１０】
表紙体１１は、図２に示すように、背部１１ｃを挟んで一対の表紙部１１ａ、１１ｂを有するものであり、この一対の表紙部１１ａ、１１ｂは同じ大きさの四角形をなしている。この表紙体１１の材料としては、剛性のあるものを使用することが好ましく、例えば、板紙、あるいは、板紙の表面に薄紙を貼合した積層体等を使用することができる。
【００１１】
ディスク収納体２１は、図３−ａに示すように、４つの頁部と２つの折り曲げ部連ねた台紙部２２の各頁部にディスク受け部２３を貼付し、図３−ｂに示すように、蛇腹状に折り畳んだ形状である。
【００１２】
そして、図４は、台紙部２２のブランクを示す展開図であり、ブランク２２Ａは、ディスクＤを収容する４枚のディスク受け部２３を貼り付けて固定する頁部２２ａ、頁部２２ｂ、頁部２２ｃ、頁部２２ｄと、折り曲げ部２２ｘ、折り曲げ部２２ｙが折れ線ａ、ｂ、ｃ、ｄ、ｅを介して連設されている。折り曲げ部２２ｘ、折り曲げ部２２ｙは、台紙部２２を蛇腹状に折り畳む時に、貼り付けたディスク受け部２３の厚さを考慮した部分である。
【００１３】
この台紙部２２の頁部２２ａ、２２ｂ、２２ｃ、２２ｄの表面に各々ディスク受け部２３を貼付し、ディスク受け部２３が内側になるように蛇腹状に折り畳んでディスク収納体２１とし、図５に示すように、一方の端面である頁部２２ａの裏面と表示体１１の表示部１１ａの裏面とを貼り合わせ、他方の端面である頁部２２ｄの裏面と表示体１１の表示部１１ｂの裏面とを貼り合わせることによって、ディスク収納体２１が表紙体１１に取り付けられて一体となり、本発明のブック型ディスク収納ケースＡとすることができる。これによりディスク収納体２１は表紙体１１の表紙部１１ａ、１１ｂの内面に貼合されて表紙体１１の背部１１ｃを中心として開閉されるブック型の形態とすることができる。
【００１４】
また、ディスク受け部２３は、プラスチック製であり、図６は、その一例を示す斜視図である。図に示すように、四角形の平面部２３ａの４辺には直角下方にそれぞれ側壁部２３ｂ、２３ｂ、２３ｂ、２３ｂが形成され、平面部２３ａの略中央部にディスクＤを収容するための薄い円筒状の凹部２３ｃが形成され、その凹部２３ｃの中央部にディスクＤを保持するためのディスクＤの中央開口に係合する保持部２３ｄが形成されている。そして、凹部２３ｃの数個所には凹部２３ｃに収容したディスクＤを取り出すために指を入れる切り欠け２３ｅが形成されている。また、平面部２３ａの裏面には台紙部２２に貼付するための凸状の接着部２３ｆを設けている。
【００１５】
このディスク受け部２３は、の公知のプラスチック成形方法により成形されるが、使用する材料としては、
等があげることができる。また、このディスク受け部２３は透明体とすることが好ましく、透明にすることによって、台紙部２２の表面に装飾のための印刷、あるいは、ディスクＤの内容に関連がある文、絵柄等の印刷を施し、それらをディスク受け部２３を通して外側から見ることができる形態とすることができる。
【００１６】
また、図５に示すように、蛇腹状に折り畳んだディスク収納体２１の台紙部２２の一方の端面である頁部２２ａの裏面と表紙体１１の表紙部１１ａの裏面とを貼り合わせ、他方の端面である頁部２２ｄの裏面と表紙体１１の表紙部１１ｂの裏面とを貼り合わせてディスク収納体２１と表紙体１１とを一体としているが、ディスク収納体２１の端面以外の頁部２２ｂと頁部２２ｃの重なり合った裏面同士は貼り合わせて一体としてもよいが、貼り合わせない状態としてもよい。貼り合わせない状態とすることによって、その裏面を利用して、印刷を施して、装飾やディスクＤの内容に関連した文や絵を設ける面積を拡大することができる。
【００１７】
このように、本発明のブック型ディスク収納ケースＡは、頁部を開閉できるブック型をなしているために、ディスク収納棚に並べて置くだけでなく本棚に並べて置いくこともできる。このため、ディスクを販売する流通経路をレコード店に限定されずに本屋にも拡大できるものである。
【００１８】
図７は、本発明のブック型ディスク収納ケースの第二の実施の形態の一実施例の半分開いた状態を示す斜視図である。ブック型ディスク収納ケースＢは、６枚のディスクＤを収容する形態であり、台紙部２２にディスク受け部２３を貼付して蛇腹状に折り畳んだディスク収納体２１とそのディスク収納体２１の一方側を巻き込んだ表紙体１１とから構成されている。
【００１９】
表紙体１１は、第一の実施の形態の一実施例のブック型ディスク収納ケースＡと同様に、背部１１ｃを挟んで一対の表紙部１１ａ、１１ｂを有するものであり、この一対の表紙部１１ａ、１１ｂは同じ大きさの四角形をなしている。
【００２０】
ディスク収納体２１は、図８−ａに示すように、６つの頁部と３つの折り曲げ部を連ねた台紙部２２の各頁部にディスク受け部２３を貼付し、図８−ｂに示すように、蛇腹状に折り畳んだ形状である。
【００２１】
そして、図９は、台紙部２２のブランクを示す展開図であり、ブランク２２Ｂは、ディスクＤを収容する６枚のディスク受け部２３を貼り付けて固定する頁部２２ａ、頁部２２ｂ、頁部２２ｃ、頁部２２ｄ、頁部２２ｅ、頁部２２ｆと、折り曲げ部２２ｘ、折り曲げ部２２ｙ、折り曲げ部２２ｚが折れ線ａ、ｂ、ｃ、ｄ、ｅ、ｆ、ｇ、ｈを介して順次連設されている。折り曲げ部２２ｘ、折り曲げ部２２ｙ、折り曲げ部２２ｚは、台紙部２２を蛇腹状に折り畳む時に、貼り付けたディスク受け部２３の厚さを考慮した部分である。
【００２２】
この台紙部２２の頁部２２ａ、２２ｂ、２２ｃ、２２ｄ、２２ｅ、２２ｆの表面に各々ディスク受け部２３を貼付し、ディスク受け部２３が内側になるように蛇腹状に折り畳んで、図１０に示すように、一方の端面である頁部２２ａの裏面と表示体１１の表示部１１ａの裏面とを貼り合わせ、他方の端面である頁部２２ｆの裏面と表示体１１の表示部１１ｂの裏面とを貼り合わせることによって、ディスク収納体２１が表紙体１１に取り付けられて一体となり、本発明のブック型ディスク収納ケースＢとすることができる。これによりディスク収納体２１は表紙体１１の他方の表紙部内面に取着されて表紙体１１の背部１１ｃを中心として開閉されるブック型の形態とすることができる。
【００２３】
また、ディスク受け部２３は、第一の実施の形態の一実施例のブック型ディスク収納ケースＡと同様である。
【００２４】
また、図１０に示すように、蛇腹状に折り畳んだディスク収納体２１の台紙部２２の一方の端面である頁部２２ａの裏面と表紙体１１の表紙部１１ａの裏面とを貼り合わせ、他方の端面である頁部２２ｆの裏面と表紙体１１の表紙部１１ｂの裏面とを貼り合わせてディスク収納体２１と表紙体１１とを一体としているが、ディスク収納体２１の端面以外の頁部２２ｂと頁部２２ｃ、頁部２２ｄと頁部２２ｅとの重なり合った裏面同士は貼り合わせて一体としてもよいが、貼り合わせない状態としてもよく、図１１に示すように、ディスク収納体２１を広げた状態とすることができる。このような形状にできることにより、ディスク収納体２１の台紙部２２の裏面を利用することができ、印刷を施して装飾やディスクＤの内容に関連した文や絵を設ける面積を拡大することができる。また、歌詞カードを入れるポケットを貼付すること、ポップアップを設けること等も可能となる。
【００２５】
上記のように、本発明のブック型ディスク収納ケースにおいて、収容するディスクＤの枚数が４枚、６枚の場合の例をあげて説明した。本発明のブック型ディスク収納ケースは、４枚、６枚以外にも、複数のディスクＤを収容に対応することができるものである。
【００２６】
また、台紙部２２の必ずしも全ての頁部にディスク受け部２３を貼付する必要はなく、図１２に示すように、ディスク受け部２３を貼り付けない頁部には表面に印刷を施したり、カードを入れるポケットを貼付したり、ポップアップを設けることができる。
【００２７】
本発明は前述した実施の形態に限定されずに種々変形して実施することができる。前述した実施の形態ではＣＤを収納するケースに用いたが、これに限定されずにＣＤ−ＲＯＭ、光ディスクなど情報を記録するディスクを収容するケースとして広く用いることができる。
【００２８】
【発明の効果】
本発明によれば、上記構成のブック型ディスク収納ケースは、表紙体にディスク収納体が取着されて一体となったディスク収納ケースであり、ディスク収納体のディスクを収容するディスク受け部にプラスチックを使用し、他の部分には紙を使用することにより、全体がプラスチックの成型品であるディスク収納ケースと比べてコストダウンを図るこたができると共に、組み立て加工により簡便に作成でき、複数枚のディスクを簡単に収納することが可能であるという効果を有するものである。
【００２９】
また、ディスク収納体が、頁部と折り曲げ部とを連ねた台紙部の頁部の表面にディスク受け部を貼り付けて蛇腹状に折り畳んだ形状であり、ディスク受け部に透明なプラスチックからなる成形品を使用することによって、台紙部に印刷された絵柄、表示等をディスク受け部を通してみることができ、印刷が可能な範囲を拡大することができることになる。
【００３０】
さらに、台紙部同士を貼り合わせない状態とすることにより、台紙部の裏面を利用して、印刷を施して装飾やディスクの内容に関連した文や絵を設ける面積を拡大することができ、また、歌詞カードを入れるポケットを貼付すること、ポップアップを設けること等も可能となる。
【００３１】
さらにまた、頁部を開閉できるブック型としているため、ディスク収納棚に並べて置くだけでなく本棚に並べて置いくこともできる。このため、ディスクを販売する流通経路をレコード店に限定されずに本屋にも拡大できるものである。
【図面の簡単な説明】
【図１】本発明のブック型ディスク収納ケースの第一の実施の形態の一実施例の半分開いた状態を示す斜視図である。
【図２】本発明のブック型ディスク収納ケースの第一の実施の形態の一実施例における表紙体を示す分解斜視図である。
【図３】本発明のブック型ディスク収納ケースの第一の実施の形態の一実施例におけるディスク収納体を示す分解斜視図である。
【図４】本発明のブック型ディスク収納ケースの第一の実施の形態の一実施例における台紙部のブランクを示す展開図である。
【図５】本発明のブック型ディスク収納ケースの第一の実施の形態の一実施例における表紙体とディスク収納体とを示す分解断面図である。
【図６】本発明のブック型ディスク収納ケースの第一の実施の形態の一実施例におけるディスク受け部を示す概略斜視図である。
【図７】本発明のブック型ディスク収納ケースの第二の実施の形態の一実施例の半分開いた状態を示す斜視図である。
【図８】本発明のブック型ディスク収納ケースの第二の実施の形態の一実施例におけるディスク収納体を示す分解斜視図である。
【図９】本発明のブック型ディスク収納ケースの第二の実施の形態の一実施例における台紙部のブランクを示す展開図である。
【図１０】本発明のブック型ディスク収納ケースの第二の実施の形態の一実施例における表紙体とディスク収納体とを示す分解断面図である。
【図１１】本発明のブック型ディスク収納ケースの第二の実施の形態の一実施例の開いた状態を示す斜視図である。
【図１２】本発明のブック型ディスク収納ケースの別の実施の形態の一実施例の半分開いた状態を示す斜視図である。
【符号の説明】
Ａ        ブック型ディスク収納ケース
Ｂ        ブック型ディスク収納ケース
Ｄ        ディスク
１１        表紙体
１１ａ      表紙部
１１ｂ      表紙部
１１ｃ      背部
２１        ディスク収納体
２２        台紙部
２２Ａ      ブランク（ブック型ディスク収納ケースＡの）
２２Ｂ      ブランク（ブック型ディスク収納ケースＢの）
２２ａ〜２２ｆ  頁部
２２ｘ〜２２ｚ  折り曲げ部
２３        ディスク受け部
２３ａ      平面部
２３ｂ      側壁部
２３ｃ      凹部
２３ｄ      保持部
２３ｅ      切り欠け
２３ｆ      接着部
ａ〜ｈ      折れ線
【図１】
2005008263.tif 000003
【図２】
2005008263.tif 000004
【図３】
2005008263.tif 000005
【図４】
2005008263.tif 000006
【図５】
2005008263.tif 000007
【図６】
2005008263.tif 000008
【図７】
2005008263.tif 000009
【図８】
2005008263.tif 000010
【図９】
2005008263.tif 000011
【図１０】
2005008263.tif 000012
【図１１】
2005008263.tif 000013
【図１２】
2005008263.tif 000014